(57)【要約】【課題】入力信号に応じて信号処理の順序を簡単に変更することができるようにする。【解決手段】Ｒ信号処理部３３−１は、制御部からの後段の処理に関する情報に基づいて、高輝度信号処理部３４−１、中輝度信号処理部３４−２および低輝度信号処理部３４−３の色変換処理であることを取得する。また、Ｒ信号処理部３３−１は、Ｒ信号の高画質信号処理した結果に基づいて、第１のしきい値と第２のしきい値と、第１乃至第３の変換テーブルの処理パラメータを設定し、高輝度信号処理部３４−１、中輝度信号処理部３４−２および低輝度信号処理部３４−３に実行させる処理内容および処理パラメータを制御データとして映像信号に付加して高輝度信号処理部３４−１、中輝度信号処理部３４−２および低輝度信号処理部３４−３に出力する。本発明は、放送信号を、高画質な信号に処理するテレビジョン受像機に適用することができる。【選択図】      図１４
2004247994.tif 000002
【特許請求の範囲】
【請求項１】
入力された信号に所定の信号処理を実行する複数の信号処理手段を有する信号処理装置において用いられる信号フォーマットであって、
前記信号に、後段の信号処理を実行するために必要な制御データが付加される
ことを特徴とする信号フォーマット。
【請求項２】
前記制御データは、前段の信号処理の実行の結果に基づいて生成され、前記信号の情報、および前記後段の信号処理の制御パラメータにより構成される
ことを特徴とする請求項１に記載の信号フォーマット。
【請求項３】
複数の信号処理を実行する信号処理装置において、
前段より入力される信号に所定の信号処理を実行する信号処理手段と、
前記信号処理手段の後段の信号処理情報を取得する情報取得手段と、
前記情報取得手段により取得された前記後段の信号処理情報と、前記信号処理手段による前記信号処理の実行の結果に基づいて、前記後段の信号処理を実行するために必要な制御データを生成する生成手段と、
前記生成手段により生成された前記制御データを、前記信号処理手段により信号処理が実行された前記信号に付加するデータ付加手段と、
前記データ付加手段により前記制御データが付加された前記信号を、前記後段に出力する出力手段と
を備えることを特徴とする信号処理装置。
【請求項４】
前記制御データは、前記前段の信号処理の実行の結果に基づいて生成され、前記信号の情報、および前記後段の信号処理の制御パラメータにより構成される
ことを特徴とする請求項３に記載の信号処理装置。
【請求項５】
前記前段より入力された前記信号が前記信号処理手段により信号処理するべき信号であるか否かを判断する判断手段と、
前記判断手段により前記信号が前記信号処理手段により信号処理するべき信号であると判断された場合、前記信号から前記信号処理を実行するための制御データを抽出する抽出手段と
をさらに備え、
前記信号処理手段は、前記抽出手段により抽出された前記制御データに基づいて、前記信号に所定の信号処理を実行する
ことを特徴とする請求項３に記載の信号処理装置。
【請求項６】
前段より入力される信号に所定の信号処理を実行する複数の信号処理手段を備える信号処理装置の信号処理方法において、
前記信号処理手段の後段の信号処理情報を取得する情報取得ステップと、
前記情報取得ステップの処理により取得された前記後段の信号処理情報と、前記信号処理手段による前記信号処理の実行の結果に基づいて、前記後段の信号処理を実行するために必要な制御データを生成する生成ステップと、
前記生成ステップの処理により生成された前記制御データを、前記信号処理手段により信号処理が実行された前記信号に付加するデータ付加ステップと、
前記データ付加ステップの処理により前記制御データが付加された前記信号を、前記後段に出力する出力ステップと
を含むことを特徴とする信号処理方法。
【請求項７】
前段より入力される信号に所定の信号処理を実行する複数の信号処理手段を備える信号処理装置用のプログラムにおいて、
前記信号処理手段の後段の信号処理情報を取得する情報取得ステップと、
前記情報取得ステップの処理により取得された前記後段の信号処理情報と、前記信号処理手段による前記信号処理の実行の結果に基づいて、前記後段の信号処理を実行するために必要な制御データを生成する生成ステップと、
前記生成ステップの処理により生成された前記制御データを、前記信号処理手段により信号処理が実行された前記信号に付加するデータ付加ステップと、
前記データ付加ステップの処理により前記制御データが付加された前記信号を、前記後段に出力する出力ステップと
を含むことを特徴とするコンピュータが読み取り可能なプログラムが記録されている記録媒体。
【請求項８】
前段より入力される信号に所定の信号処理を実行する複数の信号処理手段を備える信号処理装置のコンピュータに実行させるプログラムであって、
前記信号処理手段の後段の信号処理情報を取得する情報取得ステップと、
前記情報取得ステップの処理により取得された前記後段の信号処理情報と、前記信号処理手段による前記信号処理の実行の結果に基づいて、前記後段の信号処理を実行するために必要な制御データを生成する生成ステップと、
前記生成ステップの処理により生成された前記制御データを、前記信号処理手段により信号処理が実行された前記信号に付加するデータ付加ステップと、
前記データ付加ステップの処理により前記制御データが付加された前記信号を、前記後段に出力する出力ステップと
を含むことを特徴とするプログラム。
【発明の詳細な説明】
【０００１】
【発明の属する技術分野】
本発明は、信号フォーマット、信号処理装置および方法、記録媒体、並びにプログラムに関し、特に、入力信号に応じて信号処理の順序を簡単に変更することができるようにした信号フォーマット、信号処理装置および方法、記録媒体、並びにプログラムに関する。
【０００２】
【従来の技術】
従来の画像信号または音声信号を処理する信号処理装置では、画像信号または音声信号の経路は、固定であり、制御信号は、信号処理装置を制御する制御部より各信号処理部に、画像信号または音声信号とは別に送信される。
【０００３】
図１は、従来の信号処理装置の構成例を示している。図１の例においては、信号処理装置は、信号処理装置の各部を制御する制御部１、および、入力される信号に所定の処理を実行する信号処理部２乃至４により構成される。
【０００４】
信号処理部２は、前段から入力された信号に所定の処理を実行し、信号処理部３に出力する。信号処理部３は、信号処理部２から入力された信号に所定の信号処理を実行し、信号処理部４に出力する。信号処理部４は、信号処理部３から入力された信号に所定の信号処理を実行し、後段に出力する。
【０００５】
このように、図１の信号処理装置において、信号処理は、信号処理部２乃至４の３つの信号処理部によって、分担され、予め設定された順番で処理される。したがって、分担された信号処理内容は、各信号処理部で固定されている。また、信号処理部２乃至４で実行される信号処理の処理パラメータは、各信号処理部内に固定されているか、その都度、制御部１から供給される。
【０００６】
図２は、従来の信号処理装置の他の構成例を示している。図２の例においては、信号処理装置は、信号処理装置の各部を制御する制御部１１、入力される信号に所定の処理を実行する信号処理部１２乃至１５およびスイッチ１６より構成される。
【０００７】
信号処理部１２は、前段から入力される信号に所定の信号処理を実行し、信号処理部１３および１４に出力する。信号処理部１３は、信号処理部１２から入力される信号に所定の信号処理を実行し、スイッチ１６に出力する。信号処理部１４は、信号処理部１２から入力される信号に所定の信号処理を実行し、スイッチ１６に出力する。スイッチ１６は、制御部１１の制御に基づいて、信号処理部１３または信号処理部１４から入力される信号のいずれかを選択し、信号処理部１５に出力する。信号処理部１５は、スイッチ１６により選択された信号に所定の信号処理を実行し、後段に出力する。
【０００８】
このように、図２の信号処理装置においても、各信号処理部で実行される信号処理は固定であり、例え、信号処理を切り換える場合があったとしても、スイッチ１６などにより入出力が同一となる複数の処理を切り換える方法しかなかった。さらに、この場合においても、スイッチ１６は、制御部１１に制御されることにより切り換えを行っていた。なお、図２の信号処理装置においても、信号処理部１２乃至１５で実行される信号処理の処理パラメータは、各信号処理部内に固定されているか、その都度、制御部１から供給されている。
【０００９】
以上のように、従来の信号処理装置においては、各信号処理部において、処理内容および順番は、固定されている場合が多く、さらに、信号処理を実行するための処理パラメータも固定されている場合が多かった。
【００１０】
したがって、図１の信号処理装置において、信号処理部２、３および４の順番で実行される信号処理を、図３に示されるように、信号処理部２、４および３の順番に入れ換えて処理を行うためには、物理的に配線を変更するだけでなく、制御部１において、各種設定を変更し、さらに、各信号処理部において各種設定をしなければならなかった。
【００１１】
また、図１の信号処理装置において、例えば、信号フォーマットが信号処理部間で変わってしまい、変化した信号フォーマットに応じた信号処理を行う場合、制御部１は、信号処理の内容を変更するために、逐次、信号処理内容と途中の信号フォーマットを予め設定された範囲内において、信号処理装置全体を組替える必要があり、信号処理の順番や内容を、処理結果によって自由に切り換えることは、困難であった。
【００１２】
【発明が解決しようとする課題】
以上のように、従来の信号処理装置においては、一度構成された信号処理の順番および信号処理の内容を、前の信号処理結果に応じて変更することは、制御部１による非常に手間がかかり、困難である課題があった。
【００１３】
本発明はこのような状況に鑑みてなされたものであり、入力信号に応じて信号処理の順序を簡単に変更することができることができるようにするものである。
【００１４】
【課題を解決するための手段】
本発明の信号フォーマットは、信号に、後段の信号処理を実行するために必要な制御データが付加されることを特徴とする。
【００１５】
制御データは、前段の信号処理の実行の結果に基づいて生成され、信号の情報、および後段の信号処理の制御パラメータにより構成されるようにすることができる。
【００１６】
本発明の信号処理装置は、前段より入力される信号に所定の信号処理を実行する信号処理手段と、信号処理手段の後段の信号処理情報を取得する情報取得手段と、情報取得手段により取得された後段の信号処理情報と、信号処理手段による信号処理の実行の結果に基づいて、後段の信号処理を実行するために必要な制御データを生成する生成手段と、生成手段により生成された制御データを、信号処理手段により信号処理が実行された信号に付加するデータ付加手段と、データ付加手段により制御データが付加された信号を、後段に出力する出力手段とを備えることを特徴とする。
【００１７】
制御データは、前段の信号処理の実行の結果に基づいて生成され、信号の情報、および後段の信号処理の制御パラメータにより構成されるようにすることができる。
【００１８】
前段より入力された信号が信号処理手段により信号処理するべき信号であるか否かを判断する判断手段と、判断手段により信号が信号処理手段により信号処理するべき信号であると判断された場合、信号から信号処理を実行するための制御データを抽出する抽出手段とをさらに備え、信号処理手段は、抽出手段により抽出された制御データに基づいて、信号に所定の信号処理を実行するようにすることができる。
【００１９】
本発明の信号処理方法は、信号処理手段の後段の信号処理情報を取得する情報取得ステップと、情報取得ステップの処理により取得された後段の信号処理情報と、信号処理手段による信号処理の実行の結果に基づいて、後段の信号処理を実行するために必要な制御データを生成する生成ステップと、生成ステップの処理により生成された制御データを、信号処理手段により信号処理が実行された信号に付加するデータ付加ステップと、データ付加ステップの処理により制御データが付加された信号を、後段に出力する出力ステップとを含むことを特徴とする。
【００２０】
本発明のプログラムの記録媒体は、信号処理手段の後段の信号処理情報を取得する情報取得ステップと、情報取得ステップの処理により取得された後段の信号処理情報と、信号処理手段による信号処理の実行の結果に基づいて、後段の信号処理を実行するために必要な制御データを生成する生成ステップと、生成ステップの処理により生成された制御データを、信号処理手段により信号処理が実行された信号に付加するデータ付加ステップと、データ付加ステップの処理により制御データが付加された信号を、後段に出力する出力ステップとを含むことを特徴とする。
【００２１】
本発明のプログラムは、信号処理手段の後段の信号処理情報を取得する情報取得ステップと、情報取得ステップの処理により取得された後段の信号処理情報と、信号処理手段による信号処理の実行の結果に基づいて、後段の信号処理を実行するために必要な制御データを生成する生成ステップと、生成ステップの処理により生成された制御データを、信号処理手段により信号処理が実行された信号に付加するデータ付加ステップと、データ付加ステップの処理により制御データが付加された信号を、後段に出力する出力ステップとを含むことを特徴とする。
【００２２】
第１の本発明においては、信号に、後段の信号処理を実行するために必要な制御データが付加される。
【００２３】
第２の本発明においては、信号処理手段の後段の信号処理情報が取得され、取得された後段の信号処理情報と、信号処理手段による信号処理の実行の結果に基づいて、後段の信号処理を実行するために必要な制御データが生成される。そして、生成された制御データが、信号処理が実行された信号に付加され、制御データが付加された信号が、後段に出力される。
【００２４】
【発明の実施の形態】
以下、図を参照して本発明の実施の形態について説明する。
【００２５】
図４は、本発明を適用した信号処理装置としてのテレビジョン受像機２１の構成例を表している。なお、図４においては、図示は省略されているが、テレビジョン受像機２１は、放送信号を受信するチューナなど、テレビジョン受像機としての他の機能も有する。テレビジョン受像機２１は、テレビジョン受像機２１全体の動作を制御するための制御部３１と、図示せぬチューナから入力された入力信号に各種信号処理を行う複数の信号処理部である、色分解処理部３２、Ｒ信号処理部３３−１、Ｇ信号処理部３３−２、Ｂ信号処理部３３−３、高輝度信号処理部３４−１、中輝度信号処理部３４−２、低輝度信号処理部３４−３および色合成処理部３５により構成される。
【００２６】
なお、これらの複数の信号処理部は、同一の基板に形成されており、テレビジョン受像機２１から取り外して他の複数の信号処理部が形成される基板に取り替えることも可能である。その場合には、各信号処理部から制御部３１に処理内容が送信されるものとする。また、信号処理部を、信号処理部毎に取り替えられるようにしてもよく、その場合には、取り替えられた信号処理部が自分の処理内容を制御部３１に送信する。
【００２７】
Ｒ信号処理部３３−１、Ｇ信号処理部３３−２、Ｂ信号処理部３３−３、高輝度信号処理部３４−１、中輝度信号処理部３４−２、低輝度信号処理部３４−３は、制御部３１が設定する順番に応じて、または、自分が実行した信号処理の結果に応じて、処理する順番を変更することができるように、それぞれ双方向に対して入出力することができるように構成されている。
【００２８】
いまの場合、例えば、制御部３１により、色分解処理部３２の処理の後、Ｒ信号処理部３３−１、Ｇ信号処理部３３−２およびＢ信号処理部３３−３が並列で処理するように、Ｒ信号処理部３３−１、Ｇ信号処理部３３−２およびＢ信号処理部３３−３の処理の後、高輝度信号処理部３４−１、中輝度信号処理部３４−２、および低輝度信号処理部３４−３が並列で処理するように、高輝度信号処理部３４−１、中輝度信号処理部３４−２、および低輝度信号処理部３４−３の処理の後、色合成処理部３５が処理するように、処理の順番が設定されている。なお、この処理の順番は、制御部３１により変更可能であるし、各信号処理部により、処理結果に応じて、選択させるようにしてもよい。
【００２９】
制御部３１は、設定された処理の順番に基づいて、前段の信号処理部に対して、後段の信号処理部が実行する信号処理の情報を送信する。具体的には、制御部３１は、色分解処理部３２に対して、次に実行される（次に実行するべき）信号処理が、Ｒ信号処理部３３−１、Ｇ信号処理部３３−２およびＢ信号処理部３３−３により実行される信号処理である情報を送信する。制御部３１は、Ｒ信号処理部３３−１、Ｇ信号処理部３３−２およびＢ信号処理部３３−３に対して、次に実行される信号処理が、高輝度信号処理部３４−１、中輝度信号処理部３４−２および低輝度信号処理部３４−３により実行される信号処理である情報を送信する。制御部３１は、高輝度信号処理部３４−１、中輝度信号処理部３４−２および低輝度信号処理部３４−３に対して、次に実行される信号処理が、色合成処理部３５により実行される信号処理である情報を送信する。
【００３０】
色分解処理部３２は、図示せぬチューナから入力される映像信号の映像データを、Ｒ信号、Ｇ信号、Ｂ信号に色分解処理し、色分解処理の結果に関する情報を取得する。色分解処理部３２は、制御部３１から次に実行される後段（Ｒ信号処理部３３−１、Ｇ信号処理部３３−２およびＢ信号処理部３３−３）の処理に関する情報を取得する。そして、色分解処理部３２は、取得した色分解処理の結果に関する情報および後段の処理に関する情報に基づいて、後段の処理に対応する制御データを生成し、その生成された制御データを、色分解処理された映像データに付加し、映像信号として、後段（Ｒ信号処理部３３−１、Ｇ信号処理部３３−２およびＢ信号処理部３３−３）に出力する。
【００３１】
Ｒ信号処理部３３−１は、前段の色分解処理部３２から入力された映像信号のヘッダに付加された制御データに基づいて、映像データのＲ信号のノイズ除去および解像度変換の高画質信号処理を実行し、高画質信号処理の結果に関する情報を取得する。Ｒ信号処理部３３−１は、制御部３１から次に実行される後段（高輝度信号処理部３４−１、中輝度信号処理部３４−２および低輝度信号処理部３４−３）の処理に関する情報を取得する。そして、Ｒ信号処理部３３−１は、取得した高画質信号処理の結果に関する情報および後段の処理に関する情報に基づいて、後段の処理に対応する制御データを生成し、その生成された制御データを、高画質信号処理された映像データに付加し、映像信号として、後段（高輝度信号処理部３４−１、中輝度信号処理部３４−２および低輝度信号処理部３４−３）に出力する。
【００３２】
なお、Ｇ信号処理部３３−２およびＢ信号処理部３３−３は、扱う信号の色が異なるだけであり、Ｒ信号処理部３３−１と基本的に同様の処理を実行するため、その詳細な説明は、繰り返しになるので省略するが、Ｂ信号処理部３３−２は、前段の色分解処理部３２から入力された映像信号のヘッダに付加された制御データに基づいて、映像データのＢ信号のノイズ除去および解像度変換の高画質信号処理を実行し、その処理結果および後段の処理に関する情報に基づいて、後段に対応する制御データを生成し、生成された制御データを映像信号に付加して、高輝度信号処理部３４−１、中輝度信号処理部３４−２および低輝度信号処理部３４−３に出力する。
【００３３】
Ｇ信号処理部３３−２は、前段の色分解処理部３２から入力された映像信号のヘッダに付加された制御データに基づいて、映像データのＧ信号のノイズ除去および解像度変換の高画質信号処理を実行し、その処理結果および後段の処理に関する情報に基づいて、後段に対応する制御データを生成し、生成された制御データを映像信号に付加して、高輝度信号処理部３４−１、中輝度信号処理部３４−２および低輝度信号処理部３４−３に出力する。
【００３４】
高輝度信号処理部３４−１は、前段のＲ信号処理部３３−１、Ｇ信号処理部３３−２およびＢ信号処理部３３−３から入力された映像信号のヘッダに付加された制御データに基づいて、映像データの輝度が高い部分の色変換処理を実行し、色変換処理の結果に関する情報を取得する。高輝度信号処理部３４−１は、制御部３１から次に実行される後段（色合成処理部３５）の処理に関する情報を取得する。そして、高輝度信号処理部３４−１は、取得した色変換処理の結果に関する情報および後段の処理に関する情報に基づいて、後段の処理に対応する制御データを生成し、その生成された制御データを、色変換処理された映像データに付加し、映像信号として、後段（色合成処理部３５）に出力する。
【００３５】
なお、中輝度信号処理部３４−２および低輝度信号処理部３４−３は、扱う映像データの輝度の範囲が異なるだけであり、高輝度信号処理部３４−１と基本的に同様の処理を実行するため、その説明は、繰り返しになるので省略するが、中輝度信号処理部３４−２は、前段から入力された映像信号のヘッダに付加された制御データに基づいて、映像データの中輝度の部分の色変換処理を実行し、その処理結果および後段の処理に関する情報に基づいて、後段に対応する制御データを生成し、生成された制御データを映像信号に付加して、色合成処理部３５に出力する。
【００３６】
低輝度信号処理部３４−３は、前段から入力された映像信号のヘッダに付加された制御データに基づいて、映像データの輝度の低い部分の色変換処理を実行し、その処理結果および後段の処理に関する情報に基づいて、後段に対応する制御データを生成し、生成された制御データを映像信号に付加して、色合成処理部３５に出力する。
【００３７】
色合成処理部３５は、前段の高輝度信号処理部３４−１、中輝度信号処理部３４−２および低輝度信号処理部３４−３から入力された映像信号のヘッダに付加された制御データに基づいて、Ｒ信号、Ｇ信号およびＢ信号に分解されている映像データの色合成処理を実行し、色合成処理の結果に関する情報を取得する。なお、この色合成処理は、前段では輝度毎に色変換処理が実行されているため、各信号の輝度についても考慮されて処理されている。色合成処理部３５は、制御部３１から次に実行される図示せぬ後段の処理に関する情報を取得する。そして、色合成処理部３５は、取得した色合成処理の結果に関する情報および後段の処理に関する情報に基づいて、後段の処理に対応する制御データを生成し、その生成された制御データを、色合成処理された映像データに付加し、映像信号として後段に出力する。図示せぬ後段においては、例えば、表示制御部により、色合成された映像データがＬＣＤ（Ｌｉｑｕｉｄ  Ｃｒｙｓｔａｌ  Ｄｉｓｐｌａｙ）などに表示される。
【００３８】
なお、図４のテレビジョン受像機２１においては、制御部３１が設定した処理順番に応じて次に実行する処理を行うように説明したが、例えば、制御部３１が、テレビジョン受像機２１のすべての信号処理部（色分解処理部３２、Ｒ信号処理部３３−１、Ｇ信号処理部３３−２、Ｂ信号処理部３３−３、高輝度信号処理部３４−１、中輝度信号処理部３４−２、低輝度信号処理部３４−３および色合成処理部３５）に、テレビジョン受像機２１において実行されるすべての信号処理部の情報を予め送信するようにし、各信号処理の結果に基づいて、それぞれの信号処理部が次に処理する信号処理部を設定するようにしてもよい。
【００３９】
以上のようにして、テレビジョン受像機２１においては、前段の信号処理部において付加された制御データに基づいて、後段の信号処理部の信号処理が制御される。
【００４０】
次に、図５を参照して、上述した制御データの構成について説明する。図５は、テレビジョン受像機２１の各信号処理部の間で送受信される映像信号の信号フォーマットの構成例を示している。図５の例においては、映像信号は、ヘッダ、制御データおよび映像データにより構成される。すなわち、制御データは、映像信号のヘッダと映像データの間に付加される。さらに、制御データは、映像データに関するデータ情報と、後段で実行される処理に関する後段処理情報により構成される。
【００４１】
図６は、制御データのデータ情報の構成例を示している。図６の例の場合、データ情報は、映像信号のコード化された名称を示す「映像フォーマット」、映像データの有効エリアのライン数を示す「有効垂直ライン数」、映像データの有効エリアのドット数を示す「有効水平画素数」、映像データの全エリアのライン数を示す「全垂直ライン数」、映像データの全エリアのドット数を示す「全水平画素数」、例えば、８ｂｉｔや１０ｂｉｔなどのデータの幅を示す「ビット長」、および、映像信号のインタレース、プログレッシブの区別を示す「ＩＰ（インタレース、プログレッシブ）の種類」により構成される。
【００４２】
図７は、制御データの後段処理情報の構成例を示している。図７の例の場合、後段処理情報は、コード化された自分（制御データを付加する信号処理部）の処理番号を示す「Ｆｒｏｍ」、次に実行される後段の信号処理の数を示す「Ｔｏの数」、および、「Ｔｏの数」に応じた分の次の信号処理部の処理情報により構成される。
【００４３】
いまの場合、「Ｔｏの数」が３であるので、次の信号処理部の処理情報は、コード化された次の１番目の信号処理部の番号を示す「Ｔｏ  １」、コード化された次の１番目の処理内容を示す「１の処理」、次の１番目の処理パラメータを示す「１のパラメータ」、コード化された次の２番目の信号処理部の番号を示す「Ｔｏ  ２」、コード化された次の２番目の処理内容を示す「２の処理」、次の２番目の処理パラメータを示す「２のパラメータ」、コード化された次の３番目の信号処理部の番号を示す「Ｔｏ  ３」、コード化された次の一番目の処理内容を示す「３の処理」、および、次の３番目の処理パラメータを示す「３のパラメータ」の情報により構成される。
【００４４】
例えば、色分解処理部３２において、この制御データが付加される場合、制御データは、色分解処理部３２により、取得された色分解処理の結果に関する情報および後段（Ｒ信号処理部３３−１、Ｇ信号処理部３３−２およびＢ信号処理部３３−３）の処理に関する情報に基づいて生成される。したがって、色分解処理部３２において生成される制御データのデータ情報には、色分解処理された映像データの情報が示される。
【００４５】
また、制御データの後段処理情報には、「Ｆｒｏｍ」が、「色分解処理部３２の処理番号」であり、「Ｔｏの数」が「３」であり、「Ｔｏ  １」が「Ｒ信号処理部３３−１の処理番号」であり、「１の処理」が「Ｒ信号処理部３３−１の処理内容」であり、「１のパラメータ」が、「Ｒ信号処理部３３−１の処理パラメータ」であることが示される。さらに、「Ｔｏ  ２」が「Ｇ信号処理部３３−２の処理番号」であり、「２の処理」が「Ｇ信号処理部３３−２の処理内容」であり、「２のパラメータ」が、「Ｇ信号処理部３３−２の処理パラメータ」であり、「Ｔｏ  ３」が「Ｂ信号処理部３３−３の処理番号」であり、「３の処理」が「Ｂ信号処理部３３−３の処理内容」であり、「３のパラメータ」が、「Ｂ信号処理部３３−３の処理パラメータ」であることが示される。なお、この詳細な説明は、図１１を参照して後述する。
【００４６】
以上のように、後段の信号処理部（Ｒ信号処理部３３−１、Ｇ信号処理部３３−２およびＢ信号処理部３３−３）においては、処理を実行する映像信号の制御データのデータ情報を見ることにより、映像信号の映像データをすべて確認しなくても映像データの情報を取得することができる。さらに、後段の信号処理部（Ｒ信号処理部３３−１、Ｇ信号処理部３３−２およびＢ信号処理部３３−３）においては、処理を実行する映像信号の制御データの後段処理情報を見ることにより、自分が実行するべき、映像信号の映像データの処理内容および処理パラメータを取得することができる。
【００４７】
なお、この処理内容および処理パラメータは、単に、制御部３１より取得されただけではなく、または、予め記憶されたものでもなく、色分解処理部３２により、取得した色分解処理の結果に関する情報および後段の処理に関する情報に基づいて生成したものであるので、後段の信号処理部（Ｒ信号処理部３３−１、Ｇ信号処理部３３−２およびＢ信号処理部３３−３）は、前段の色分解処理部３２の処理結果に応じた信号処理を実行することができる。
【００４８】
図８は、高輝度信号処理部３４−１の詳細な構成例を示している。図８の例においては、高輝度信号処理部３４−１は、処理制御部５１、制御抽出部５２−１乃至５２−３、選択部５３、信号処理回路５４、制御付加部５５および信号出力部５６により構成される。
【００４９】
処理制御部５１は、制御部３１からの信号を送受信し、高輝度信号処理部３４−１の各部を制御する。
【００５０】
制御抽出部５２−１は、前段（Ｒ信号処理部３３−１）から入力された映像信号の制御データに、自分が実行するべき処理があるか否かを判断し、自分が実行するべき処理があると判断した場合、その制御データを抽出し、処理制御部５１に出力する。制御抽出部５２−２は、前段（Ｇ信号処理部３３−２）から入力された映像信号の制御データに、自分が実行するべき処理があるか否かを判断し、自分が実行するべき処理があると判断した場合、その制御データを抽出し、処理制御部５１に出力する。制御抽出部５２−３は、前段（Ｂ信号処理部３３−３）から入力された映像信号の制御データに、自分が実行するべき処理があるか否かを判断し、自分が実行するべき処理があると判断した場合、その制御データを抽出し、処理制御部５１に出力する。なお、制御抽出部５２−１乃至５２−３（以下、これらを個々に区別する必要がない場合、単に制御抽出部５２と称する）は、入力される映像信号の数だけ存在するようにしてもよい。また、１つの制御抽出部５２に複数の映像信号が入力されるようにしてもよい。
【００５１】
処理制御部５１は、制御抽出部５２―１乃至５２−３からの制御データに基づいて、選択部５３を制御し、制御抽出部５２―１乃至５２−３のうちのいずれかより映像データを選択させ、信号処理回路５４に入力させる。なお、このとき、制御抽出部５２−１乃至５２−３に入力される映像信号に処理の優先度がある場合は、制御部３１より優先度の指示が入力されるので、処理制御部５１は、その優先度に従って、選択部５３に映像データを選択させる。また、処理制御部５１は、制御データの中の処理パラメータを信号処理回路５４に供給する。
【００５２】
選択部５３は、処理制御部５１の制御に基づいて、制御抽出部５２―１乃至５２−３のうちのいずれかより映像データを選択し、選択した映像データを信号処理回路５４に出力する。
【００５３】
信号処理回路５４は、処理制御部５１からの処理パラメータに基づいて、選択部５３から入力された映像データに所定の信号処理を実行し、信号処理された映像データを制御付加部５５に出力する。なお、高輝度信号処理部３４−１の処理回路５４の信号処理は、映像データの輝度が高い部分の色変換処理である。また、信号処理回路５４は、所定の信号処理結果に関する情報を生成する。
【００５４】
処理制御部５１は、信号処理回路５４により生成された信号処理結果に関する情報を取得する。処理制御部５１は、制御部３１から取得された後段（色合成処理部３５）の処理に関する情報（または、予め取得されている後段の処理に関する情報）および信号処理回路５４より取得された信号処理結果に関する情報に基づいて、後段の処理に対応する制御データを生成する。処理制御部５１は、生成した制御データを制御付加部５５に供給する。
【００５５】
制御付加部５５は、信号処理回路５４により信号処理された映像データに、処理制御部５１から供給された制御データを付加し、それを、映像信号として、信号出力部５６に出力する。信号出力部５６は、処理制御部５１の制御のもと、後段の色合成処理部３５に映像信号を出力する。
【００５６】
なお、テレビジョン受像機２１における他の信号処理部である色分解処理部３２、Ｒ信号処理部３３−１、Ｇ信号処理部３３−２、Ｂ信号処理部３３−３、中輝度信号処理部３４−２、低輝度信号処理部３４−３および色合成処理部３５も、制御抽出部５２の数、および信号処理回路５４で実行する信号処理の内容が異なるだけであり、基本的に同様の構成とされている。したがって、以下の説明においては、図８の高輝度信号処理部３４−１の構成は、適宜、色分解処理部３２、Ｒ信号処理部３３−１、Ｇ信号処理部３３−２、Ｂ信号処理部３３−３、中輝度信号処理部３４−２、低輝度信号処理部３４−３および色合成処理部３５の構成としても引用する。
【００５７】
次に、図９のフローチャートを参照して、テレビジョン受像機２１の信号処理を代表して、Ｒ信号処理部３３−１の高画質信号処理について説明する。
【００５８】
色分解処理部３２から、Ｒ信号処理部３３−１に、色分解処理された映像信号が入力されると、Ｒ信号処理部３３−１の制御抽出部５２−１は、ステップＳ２１において、映像信号のデータ判別処理を実行する。このデータ判別処理について、図１０のフローチャートを参照して説明する。
【００５９】
Ｒ信号処理部３３−１の制御抽出部５２−１は、ステップＳ４１において、色分解処理部３２からの映像信号を受信し、ステップＳ４２に進み、受信した映像信号から色分解処理部３２により付加された制御データをデコードし、ステップＳ４３に進む。
【００６０】
図１１は、色分解処理部３２が映像信号に付加した制御データの後段処理情報の例を示している。
【００６１】
図１１の例においては、後段処理情報は、この後段処理情報が、色分解処理部３２（Ｆｒｏｍ）により３つ（Ｔｏの数）の後段の処理に生成されたという情報、後段において、Ｒ信号処理部３３−１（Ｔｏ  １）が、ノイズ除去設定値Ｎ１および解像度変換設定値Ｒ１（１のパラメータ）を用いてＲ信号のノイズ除去および解像度変換の高画質信号処理を実行するという情報（１の処理）、Ｇ信号処理部３３−２（Ｔｏ  ２）が、ノイズ除去設定値Ｎ２および解像度変換設定値Ｒ２（２のパラメータ）を用いてＧ信号のノイズ除去および解像度変換の高画質信号処理を実行するという情報（２の処理）、および、Ｂ信号処理部３３−３（Ｔｏ  ３）が、ノイズ除去設定値Ｎ３および解像度変換設定値Ｒ３（３のパラメータ）を用いてＢ信号のノイズ除去および解像度変換の高画質信号処理を実行するという情報（３の処理）により構成されている。これらのノイズ除去設定値Ｎ１乃至Ｎ３および解像度変換設定値Ｒ１乃至Ｒ３は、色分解処理部３２の信号処理回路５４による映像信号の色分解処理の結果に基づいて、色分解処理部３２の処理制御部５１が生成した処理パラメータである。
【００６２】
Ｒ信号処理部３３−１の制御抽出部５２−１は、ステップＳ４３において、制御データの後段処理情報に、自分が実行するべき処理があるか否かを判断し、自分が実行するべき処理がないと判断した場合、ステップＳ４１に戻り、それ以降の処理を繰り返す。ステップＳ４３において、自分が実行するべき処理があると判断された場合、制御抽出部５２−１は、図９のステップＳ２２に戻り、自分が実行するべき処理があると判断した映像信号から制御データを抽出する。制御抽出部５２−１は、抽出した制御データを、処理制御部５１に供給する。
【００６３】
Ｒ信号処理部３３−１の制御抽出部５２−１より制御データが供給されると、ステップＳ２３において、Ｒ信号処理部３３−１の処理制御部５１は、映像データ処理を実行する。この映像データ処理を、図１２のフローチャートを参照して説明する。
【００６４】
Ｒ信号処理部３３−１の処理制御部５１は、ステップＳ６１において、制御抽出部５２−１より供給された制御データに基づいて、処理するべき映像データを、選択部５３に選択させ、ステップＳ６２に進む。なお、いまの場合、制御抽出部５２−１にしか映像信号が入力されていないので、選択部５３は、制御抽出部５２−１の映像データを、信号処理回路５４に出力する。
【００６５】
処理制御部５１は、ステップＳ６２において、制御データの後段処理情報から処理パラメータ（ノイズ除去設定値Ｎ１および解像度変換設定値Ｒ１「１のパラメータ」）を抽出し、抽出された処理パラメータを信号処理回路５４に供給し、ステップＳ６４に進む。また、このとき、処理制御部５１は、ノイズ除去設定値Ｎ１および解像度変換設定値Ｒ１「１のパラメータ」を用いてＲ信号のノイズ除去および解像度変換の高画質信号処理を実行するように信号処理回路５４を制御する。
【００６６】
ステップＳ６４において、Ｒ信号処理部３３−１の信号処理回路５４は、処理制御部５１からの制御のもと、選択部５３より入力された映像データのＲ信号を、処理制御部５１から供給された処理パラメータ（ノイズ除去設定値Ｎ１および解像度変換設定値Ｒ１）を用いて、ノイズ除去および解像度変換の高画質信号処理を実行する。
【００６７】
具体的には、信号処理回路５４は、ノイズ除去を設定するための制御パラメータに基づいて、映像データのＲ信号のノイズの定常性や非定常性の特徴量を抽出し、その特徴量をクラス分類し、分類されたクラスに応じて、適応予測することによりノイズを除去する。さらに信号処理回路５４は、解像度を設定するための制御パラメータに基づいて、映像データのＲ信号の動きベクトルの特徴量を抽出し、その特徴量をクラス分類し、分類されたクラスに応じて、適応予測することにより、時間方向（フレーム数）と空間方向（画素数、ライン数）の解像度変換および信号の創造を行い、映像データのＲ信号のより高画質な信号への信号処理を実行する。
【００６８】
信号処理回路５４は、以上のようにして、高画質信号処理されたＲ信号の映像データを、制御付加部５５に出力する。このとき、信号処理回路５４は、Ｒ信号の高画質信号処理した結果に関する情報を生成し、図９のステップＳ２４に戻る。
【００６９】
ステップＳ２４において、Ｒ信号処理部３３−１の処理制御部５１は、制御データ付加処理を実行する。この制御データ付加処理を、図１３のフローチャートを参照して説明する。
【００７０】
Ｒ信号処理部３３−１の処理制御部５１は、ステップＳ８１において、Ｒ信号の高画質信号処理した結果を、信号処理回路５４から取得し、ステップＳ８２に進み、制御部３１から、後段（高輝度信号処理部３４−１、中輝度信号処理部３４−２および低輝度信号処理部３４−３）の処理に関する情報を取得し、ステップＳ８３に進む。なお、後段の処理に関する情報が予め取得されている場合は、ステップＳ８２の処理は、スキップされる。
【００７１】
ステップＳ８３において、処理制御部５１は、ステップＳ８１において取得されたＲ信号の高画質信号処理した結果、および、ステップＳ８２において取得された後段の処理に関する情報に基づいて、制御データを生成する。具体的には、Ｒ信号処理部３３−１の処理制御部５１は、Ｒ信号の高画質信号処理した結果に基づいて、制御データのデータ情報を生成する。処理制御部５１は、次に実行される信号処理が、後段の処理に関する情報に基づいて、高輝度信号処理部３４−１、中輝度信号処理部３４−２および低輝度信号処理部３４−３の色変換処理であることを取得する。また、処理制御部５１は、Ｒ信号の高画質信号処理した結果に基づいて、すべての輝度のＲ信号の映像データの状態を把握している。そこで、処理制御部５１は、Ｒ信号の輝度の第１のしきい値と第２のしきい値（第２のしきい値＜第１のしきい値）と、第１乃至第３の変換テーブルの処理パラメータを設定し、図１４に示されるような後段処理情報を生成する。
【００７２】
図１４は、Ｒ信号処理部３３−１の処理制御部５１が映像信号に付加した制御データの後段処理情報の例を示している。
【００７３】
図１４の例においては、後段処理情報は、この後段処理情報が、Ｒ信号処理部３３−１（Ｆｒｏｍ）により３つ（Ｔｏの数）の後段の処理に生成されたという情報、後段において、高輝度信号処理部３４−１（Ｔｏ  １）が、第１の変換テーブル（１のパラメータ）を用いて第１のしきい値より上の高輝度のＲ信号の色変換処理を実行するという情報（１の処理）、中輝度信号処理部３４−２（Ｔｏ２）が、第２の変換テーブル（２のパラメータ）を用いて第１のしきい値より下で、第２のしきい値より上の中輝度のＲ信号の色変換処理を実行するという情報（２の処理）、および、低輝度信号処理部３４−３（Ｔｏ  ３）が、第３の変換テーブル（３のパラメータ）を用いて第２のしきい値より下の低輝度のＲ信号の色変換処理を実行するという情報（３の処理）により構成されている。
【００７４】
以上のように、Ｒ信号処理部３３−１の処理制御部５１は、信号処理回路５４においてＲ信号の高画質信号処理した結果に基づいて、後段の処理パラメータを設定することができる。これにより、後段の高輝度信号処理部３４−１、中輝度信号処理部３４−２および低輝度信号処理部３４−３においては、Ｒ信号の高画質信号処理の結果に応じて最適なＲ信号の色変換を実行することができる。Ｒ信号処理部３３−１の処理制御部５１は、このようにして、生成した制御データを、制御付加部５５に供給し、ステップＳ８４に進む。
【００７５】
Ｒ信号処理部３３−１の処理制御部５１より制御データが供給されると、制御付加部５５は、ステップＳ８４において、図１２のステップＳ６３においてＲ信号の高画質信号処理された映像データに、制御データを付加した映像信号を生成する。制御付加部５５は、制御データが付加された映像信号を、信号出力部５６に出力し、図９のステップＳ２５に戻る。
【００７６】
ステップＳ２５において、Ｒ信号処理部３３−１の信号出力部５６は、処理制御部５１の制御のもと、制御付加部５５より供給された映像信号を、後段の高輝度信号処理部３４−１、中輝度信号処理部３４−２および低輝度信号処理部３４−３に出力し、Ｒ信号処理部３３−１の高画質信号処理を終了する。
【００７７】
以上のようにして、Ｒ信号処理部３３−１により制御データが付加された映像信号が高輝度信号処理部３４−１、中輝度信号処理部３４−２および低輝度信号処理部３４−３に出力される。次に、この映像信号を処理する高輝度信号処理部３４−１の色変換信号処理を、図１５のフローチャートを参照して説明する。
【００７８】
Ｒ信号処理部３３−１より、Ｒ信号の高画質信号処理された映像信号が入力されると、高輝度信号処理部３４−１の制御抽出部５２−１は、ステップＳ１０１において、映像信号のデータ判別処理を実行する。なお、このデータ判別処理は、図９のステップＳ２１（図１０）の処理と基本的に同じ処理であるため、その詳細な説明は、適宜省略する。
【００７９】
高輝度信号処理部３４−１の制御抽出部５２−１は、図１０のステップＳ４１において、Ｒ信号処理部３３−１からの映像信号を受信し、ステップＳ４２に進み、受信した映像信号からＲ信号処理部３３−１により付加された制御データ（図１４を参照して上述した）をデコードし、ステップＳ４３に進む。
【００８０】
高輝度信号処理部３４−１の制御抽出部５２−１は、ステップＳ４３において、制御データの後段処理情報に、自分が実行するべき処理があるか否かを判断し、自分が実行するべき処理がないと判断した場合、ステップＳ４１に戻り、それ以降の処理を繰り返す。ステップＳ４３において、自分が実行するべき処理があると判断された場合、制御抽出部５２−１は、図１５のステップＳ１０２に戻り、自分が実行するべき処理があると判断した映像信号から制御データを抽出する。制御抽出部５２−１は、抽出した制御データを、処理制御部５１に供給する。
【００８１】
制御抽出部５２−１より制御データが供給されると、ステップＳ１０３において、高輝度信号処理部３４−１の処理制御部５１は、映像データ処理を実行する。なお、この映像データ処理は、図９のステップＳ２３（図１２）の処理と基本的に同じ処理であるため、その詳細な説明は、適宜省略する。
【００８２】
高輝度信号処理部３４−１の処理制御部５１は、図１２のステップＳ６１において、制御抽出部５２−１より供給された制御データに基づいて、処理するべき映像データを、選択部５３に選択させ、ステップＳ６２に進む。なお、いまの場合、実際には、制御抽出部５２−２には、Ｇ信号処理部３３−２からの映像信号が入力されており、制御抽出部５２−３には、Ｂ信号処理部３３−３からの映像信号が入力されているが、選択部５３は、処理制御部５１の制御のもと、制御抽出部５２−１の映像データを、信号処理回路５４に出力する。
【００８３】
高輝度信号処理部３４−１の処理制御部５１は、ステップＳ６３において、制御データの後段処理情報から処理パラメータ（第１の変換テーブル「１のパラメータ」）を抽出し、抽出された処理パラメータを信号処理回路５４に供給する。また、このとき、処理制御部５１は、第１の変換テーブル「１のパラメータ」を用いて第１のしきい値より上の高輝度のＲ信号の色変換処理を実行するように信号処理回路５４を制御する。
【００８４】
ステップＳ６４において、信号処理回路５４は、処理制御部５１からの制御のもと、選択部５３より入力された映像データの第１のしきい値より上の高輝度のＲ信号を、処理制御部５１から供給された処理パラメータ（第１の変換テーブル）を用いて、高輝度色変換処理を実行する。信号処理回路５４は、Ｒ信号の高輝度色変換処理された映像データを、制御付加部５５に出力する。このとき、信号処理回路５４は、Ｒ信号の高輝度色変換処理した結果に関する情報を生成し、図１５のステップＳ１０４に戻る。
【００８５】
ステップＳ１０４において、処理制御部５１は、制御データ付加処理を実行する。なお、この制御データ付加処理は、図９のステップＳ２４（図１３）の処理と基本的に同じ処理であるため、その詳細な説明は、適宜省略する。
【００８６】
高輝度信号処理部３４−１の処理制御部５１は、図１３のステップＳ８１において、Ｒ信号の高輝度色変換処理した結果を、信号処理回路５４から取得し、ステップＳ８２に進み、ステップＳ８２において、制御部３１から、後段（色合成処理部３５）の処理に関する情報を取得し、ステップＳ８３に進む。
【００８７】
ステップＳ８３において、処理制御部５１は、ステップＳ８１において取得されたＲ信号の高輝度色変換処理した結果、および、ステップＳ８２において取得された後段の処理に関する情報に基づいて、制御データを生成する。具体的には、高輝度信号処理部３４−１の処理制御部５１は、Ｒ信号の高輝度色変換処理した結果に基づいて、制御データのデータ情報を生成する。処理制御部５１は、次に実行される信号処理が、後段の処理に関する情報に基づいて、色合成処理部３５の色合成処理であることを取得する。また、処理制御部５１は、Ｒ信号の高輝度色変換処理した結果に基づいて、Ｒ信号の高輝度部分の映像データの状態を把握している。そこで、色合成処理に適した処理パラメータを設定し、後段処理情報を生成する。処理制御部５１は、生成した制御データを、制御付加部５５に供給し、ステップＳ８４に進む。
【００８８】
高輝度信号処理部３４−１の処理制御部５１より制御データが供給されると、高輝度信号処理部３４−１の制御付加部５５は、ステップＳ８４において、図１２のステップＳ６３においてＲ信号の高画質信号処理された映像データに、制御データを付加した映像信号を生成する。制御付加部５５は、制御データが付加された映像信号を信号出力部５６に出力し、図１５のステップＳ１０５に戻る。
【００８９】
ステップＳ１０５において、高輝度信号処理部３４−１の信号出力部５６は、処理制御部５１の制御のもと、制御付加部５５より供給された映像信号を、後段の色合成処理部３５に出力し、Ｒ信号処理部３３−１の信号処理を終了する。
【００９０】
以上のように、高輝度信号処理部３４−１においては、Ｒ信号の高画質信号処理の結果に応じて最適なＲ信号の色変換を実行することができる。
【００９１】
なお、上記説明においては、高輝度信号処理部３４−１の信号処理を、Ｒ信号処理部３３−１からのＲ信号の処理について説明したが、実際には、高輝度信号処理部３４−１においては、Ｇ信号処理部３３−２から制御抽出部５２−２に入力されるＧ信号の処理およびＢ信号処理部３３−３制御抽出部５２−３に入力されるＢ信号の処理についても実行される。すなわち、高輝度信号処理部３４−１においては、Ｇ信号の高画質信号処理の結果に応じて最適なＧ信号の色変換を実行することができ、Ｂ信号の高画質信号処理の結果に応じて最適なＢ信号の色変換を実行することができる。
【００９２】
さらに、上述した高輝度信号処理部３４−１の信号処理に並列して、中輝度信号処理部３４−２および低輝度信号処理部３４−３も実行されているので、後段の色合成処理部３５においては、高輝度信号処理部３４−１、中輝度信号処理部３４−２および低輝度信号処理部３４−３から高輝度部分、中輝度部分および低輝度部分のＲ信号、Ｇ信号およびＢ信号それぞれに適した色合成処理の処理パラメータが取得されるので、それに基づいて、映像信号の色合成処理を実行することができる。
【００９３】
以上のように、処理するべき映像データと同時に、制御データを送信するようにしたので、信号処理結果に応じた処理をリアルタイムに反映させて実行することができる。
【００９４】
また、上述したように、処理の内容や映像フォーマットなどの制御データも同時に送信することにより、並列に処理を実行する場合、データの特徴として、異なる処理パラメータが送信されるので、例えば、明るい部分の画像と暗い部分の画像のそれぞれに適した処理が実行できる。さらに、適した処理が実行された明るい部分の画像と暗い部分の画像を再度合成する際に、処理を実行したそれぞれから送信された処理パラメータを用いて合成でき、最適な映像データを出力することができる。
【００９５】
図１６は、本発明の信号処理装置としてのテレビジョン受像機１０１の構成例を示している。なお、図１６においては、図示は省略されているが、テレビジョン受像機１０１は、図４のテレビジョン受像機２１と同様に、放送信号を受信するチューナなど、テレビジョン受像機としての他の機能も有する。テレビジョン受像機１０１は、テレビジョン受像機１０１全体の動作を制御するための制御部１１１と、図示せぬチューナより入力された入力信号に各種信号処理を行う複数の信号処理部である、信号入力部１１２、第１ノイズ処理部１１３、ＩＰ（インタレース、プログレッシブ）変換部１１４、解像度変換部１１５、第２ノイズ処理部１１６および信号出力部１１７により構成される。
【００９６】
なお、これらの複数の信号処理部は、同一の基板に形成されており、テレビジョン受像機１０１から取り外して他の複数の信号処理部が形成される基板（もちろん、図４のテレビジョン受像機２１の基板であってもよい）に取り替えることも可能である。その場合には、各信号処理部から制御部１１１に処理内容が送信されるものとする。また、信号処理部毎に取り替えられる場合には、取り替えられた信号処理部が自分の処理内容を制御部１１１に送信するようにしてもよい。
【００９７】
第１ノイズ処理部１１３、ＩＰ変換部１１４、解像度変換部１１５、および第２ノイズ処理部１１６は、制御部１１１が設定する順番に応じて、または、自分が実行した信号処理の結果に応じて、処理する順番を変更することができるように、それぞれ双方向に対して入出力することができるように構成されている。
【００９８】
図１６の例において、制御部１１１は、信号処理部１１２に対して、次に実行される（実行するべき）処理が、第１ノイズ処理部１１３またはＩＰ変換部１１４により実行される処理であるという情報を予め送信する。制御部１１１は、第１ノイズ処理部１１３、ＩＰ変換部１１４、解像度変換部１１５および第２ノイズ処理部１１６に対して、次に実行される処理が、自分の処理以外の第１ノイズ処理部１１３、ＩＰ変換部１１４、解像度変換部１１５、および第２ノイズ処理部１１６のうちのまだ実行されていない処理であり、それらすべての処理が実行された場合には、次に実行される処理が信号出力部１１７であるという情報を予め送信する。
【００９９】
信号入力部１１２は、図示せぬ前段から入力される映像信号の映像データの特徴を抽出する。信号入力部１１２は、処理結果である抽出した映像データの特徴に応じて、次に実行される第１ノイズ処理部１１３またはＩＰ変換部１１４の処理のうち、どちらが適しているかを選択する。信号入力部１１２は、抽出した映像データの特徴に基づいて、選択した処理（例えば、第１ノイズ処理部１１３とする）に対応する制御データを生成する。そして、信号入力部１１２は、映像データに制御データを付加し、映像信号として、第１ノイズ処理部１１３に出力する。
【０１００】
なお、このとき、信号入力部１１２は、同時にＩＰ変換部１１４にも映像信号を出力するようにしてもよい。ただし、この場合、制御データには、ＩＰ変換部１１４に対応する制御データが含まれていない。したがって、ＩＰ変換部１１４は、映像信号が入力されても、自分がするべき処理ではないと判断し、映像信号を処理しない。これは、第１ノイズ処理部１１３、解像度変換部１１５、および第２ノイズ処理部１１６の場合においても同じである。
【０１０１】
第１ノイズ処理部１１３は、信号入力部１１２から入力される映像信号の映像データを、映像信号の第１ノイズ処理部１１３に対応する制御データに基づいて、例えば、フィルタなどを用いて、高域のノイズを除去するノイズ除去処理を実行する。第１ノイズ処理部１１３は、ノイズ除去処理の処理結果に応じて、次に実行される処理（すなわち、ＩＰ変換部１１４、解像度変換部１１５、および第２ノイズ処理部１１６）のうち、どれが適しているかを選択する。第１ノイズ処理部１１３は、ノイズ除去処理の処理結果に基づいて、選択した処理（例えば、ＩＰ変換部１１４とする）に対応する制御データを生成する。そして、第１ノイズ処理部１１３は、映像データに制御データを付加し、映像信号として、ＩＰ変換部１１４に出力する。
【０１０２】
なお、このとき、制御データに、各信号処理部において、処理が完了したという処理完了情報を含め、それを後段の制御データにおいても保持させる。これにより、後段の信号処理部は、それまでに完了した処理を認識することができる。
【０１０３】
ＩＰ変換部１１４は、第１ノイズ処理部１１３から入力される映像信号の映像データを、映像信号のＩＰ変換部１１４に対応する制御データに基づいて、インタレースの映像データをプログレッシブの映像データに変換するＩＰ変換処理を実行する。ＩＰ変換部１１４は、ＩＰ変換処理の処理結果に応じて、次に実行される処理（すなわち、解像度変換部１１５および第２ノイズ処理部１１６）のうち、どれが適しているかを選択する。ＩＰ変換部１１４は、ＩＰ変換処理の処理結果に基づいて、選択した処理（例えば、解像度変換部１１５とする）に対応する制御データを生成する。そして、ＩＰ変換部１１４は、映像データに制御データを付加し、映像信号として、解像度変換部１１５に出力する。
【０１０４】
解像度変換部１１５は、ＩＰ変換部１１４から入力される映像信号の映像データを、映像信号の解像度変換部１１５に対応する制御データに基づいて、高解像度に変換する解像度変換処理を実行する。例えば、映像データの動きベクトルの特徴量を抽出し、その特徴量をクラス分類し、分類されたクラスに応じて、適応予測することにより、時間方向（フレーム数）と空間方向（画素数、ライン数）の解像度変換および信号の創造を行い、映像データのより高画質な信号への信号処理を実行する。解像度変換部１１５は、解像度変換処理の処理結果に応じて、次に実行される処理（この場合、第２ノイズ処理部１１６しか残っていないので、第２ノイズ処理部１１６）を選択する。解像度変換部１１５は、解像度変換処理の処理結果に基づいて、選択した処理（第２ノイズ処理部１１６）に対応する制御データを生成する。そして、解像度変換部１１５は、映像データに制御データを付加し、映像信号として、第２ノイズ処理部１１６に出力する。
【０１０５】
第２ノイズ処理部１１６は、解像度変換部１１５から入力される映像信号の映像データを、映像信号の第２ノイズ処理部１１６に対応する制御データに基づいて、第１のノイズ処理とは異なる方法で、例えば、ノイズ除去を設定するための制御パラメータに基づいて、映像信号のノイズの定常性や非定常性の特徴量を抽出し、その特徴量をクラス分類し、分類されたクラスに応じて、適応予測することにより映像データのノイズ除去を実行する。第２ノイズ処理部１１６は、ノイズ除去処理の処理結果に応じて、次に実行される処理（最後なので、信号出力部１１７）を選択する。解像度変換部１１５は、ノイズ除去処理の処理結果に基づいて、選択した処理（信号出力部１１７）に対応する制御データを生成する。そして、第２ノイズ処理部１１６は、映像データに制御データを付加し、映像信号として、信号出力部１１７に出力する。
【０１０６】
信号出力部１１７は、第２ノイズ処理部１１６から入力される映像信号の映像データを、映像信号の信号出力部１１７に対応する制御データに基づいて、信号を図示せぬ後段に出力する。図示せぬ後段においては、例えば、表示制御された映像データがＬＣＤなどに表示される。なお、このときも、後段の表示制御に対応する制御データを生成し、映像データに付加して出力するようにしてもよい。
【０１０７】
以上のようにして、テレビジョン受像機１０１においては、各信号処理部において実行された信号処理の結果に基づいて、後段の信号処理が選択することができる。なお、図１６のテレビジョン受像機１０１においては、制御部１１１が後段の処理に関する情報を予め送信するとして説明したが、各信号処理部か後段の制御データを生成する前に送信するようにしてもよい。この場合には、すでに実行された信号処理部の情報は送信されないので、制御部１１１からの送信されるデータの量は少なくなる。
【０１０８】
なお、図示は省略するが、図１６の各信号処理部（信号入力部１１２、第１ノイズ処理部１１３、ＩＰ変換部１１４、解像度変換部１１５、第２ノイズ処理部１１６および信号出力部１１７）の構成も、図８を参照して上述した高輝度信号処理部３４−１と基本的に同様の構成であるため、以下、図８の高輝度信号処理部３４−１の構成を、信号入力部１１２、第１ノイズ処理部１１３、ＩＰ変換部１１４、解像度変換部１１５、第２ノイズ処理部１１６および信号出力部１１７の構成としても適宜引用する。したがって、各信号処理部（信号入力部１１２、第１ノイズ処理部１１３、ＩＰ変換部１１４、解像度変換部１１５、第２ノイズ処理部１１６および信号出力部１１７）は、処理制御部５１、制御抽出部５２、選択部５３、信号処理回路５４、制御付加部５５および信号出力部５６により構成される。
【０１０９】
図１７は、図１６のテレビジョン受像機１０１において実行される信号処理の順番の例を示している。図１７においては、信号処理部１１２の処理、第１ノイズ処理１１３の処理、ＩＰ変換部１１４の処理、解像度変換部１１５の処理、第２ノイズ処理部１１６の処理、および、信号出力部１１７の処理が、それぞれ前段の処理結果に基づいて、順に実行されることを示している。
【０１１０】
次に、このような信号処理の順番で実行されるテレビジョン受像機１０１の信号処理を、図１８のフローチャートを参照して説明する。
【０１１１】
図示せぬチューナから映像信号が入力されるので、信号入力部１１２は、ステップＳ２０１において、映像信号に対して信号処理を実行する。この信号入力部１１２の信号処理を、図１９のフローチャートを参照して説明する。
【０１１２】
信号入力部１１２の制御抽出部５２は、図１９のステップＳ２３１において、前段から入力された映像信号の制御データに、自分が実行するべき処理があると判断するまで待機しており、映像信号の制御データに、自分が実行するべき処理があると判断した場合、映像信号の制御データを処理制御部５１に出力し、ステップＳ２３２に進む。処理制御部５１は、信号処理回路５４に制御データを供給し、選択部５３を制御し、制御抽出部５２の映像データを、信号処理回路５４に入力させる。
【０１１３】
ステップＳ２３２において、信号入力部１１２の信号処理回路５４は、処理制御部５１の制御のもと、選択部５３より入力される映像データに、処理制御部５１からの制御データに基づいて、所定の信号処理を実行し、ステップＳ２３３に進む。具体的には、信号入力部１１２の信号処理回路５４は、処理制御部５１からの制御データに基づいて、映像データの特徴を抽出する処理を実行する。
【０１１４】
ステップＳ２３３において、信号入力部１１２の処理制御部５１は、信号処理回路５４により抽出された映像データの特徴に基づいて、次に実行される第１ノイズ処理部１１３またはＩＰ変換部１１４の処理のうち、どちらが適しているかを選択し、ステップＳ２３４に進む。いまの場合、第１ノイズ処理部１１３が選択されるとする。
【０１１５】
ステップＳ２３４において、処理制御部５１は、信号処理回路５４により抽出された映像データの特徴に基づいて、ステップＳ２３３において選択した第１ノイズ処理部１１３に対応する制御データを生成し、ステップＳ２３５に進む。ステップＳ２３５において、信号入力部１１２の制御付加部５５は、ステップＳ２３４において生成された制御データを映像データに付加して、信号出力部５６に出力し、ステップＳ２３５に進む。ステップＳ２３５において、信号入力部１１２の信号出力部５６は、制御データが付加された映像信号を、第１ノイズ処理部１１３に出力し、図１８のステップＳ２０２に戻る。
【０１１６】
信号入力部１１２から映像信号が入力されるので、第１ノイズ処理部１１３は、ステップＳ２０２において、映像信号に対して信号処理を実行する。この第１ノイズ処理部１１３の信号処理は、図１９を参照して上述した信号入力部１１２の信号処理と基本的に同じ処理を実行するため、その説明は繰り返しになるので、適宜省略する。
【０１１７】
第１ノイズ処理部１１３の制御抽出部５２は、図１９のステップＳ２３１において、信号入力部１１２から入力された映像信号の制御データに、自分が実行するべき処理があると判断するまで待機しており、映像信号の制御データに、自分が実行するべき処理があると判断した場合、ステップＳ２３２に進む。ステップＳ２３２において、第１ノイズ処理部１１３の信号処理回路５４は、処理制御部５１の制御のもと、選択部５３より入力される映像データに、処理制御部５１からの制御データに基づいて、所定の信号処理を実行し、ステップＳ２３３に進む。具体的には、信号処理回路５４は、信号入力部１１２により抽出した映像データの特徴に基づいて生成された制御データに基づいて、フィルタなどを用いて、映像データの高域のノイズを除去するノイズ除去処理を実行する。
【０１１８】
ステップＳ２３３において、第１ノイズ処理部１１３の処理制御部５１は、ノイズ除去処理結果に基づいて、次に実行されるＩＰ変換部１１４、解像度変換部１１５、および第２ノイズ処理部１１６の処理のうち、どの処理を実行するのが最適であるかを選択し、ステップＳ２３４に進む。なお、このとき、制御データに、処理完了情報が含められているため、それまでに完了した処理が認識されている。したがって、いまの場合、ＩＰ変換部１１４が選択されるとする。
【０１１９】
ステップＳ２３４において、第１ノイズ処理部１１３の処理制御部５１は、ノイズ除去処理結果に基づいて、ステップＳ２３３において選択されたＩＰ変換部１１４に対応する制御データを生成し、ステップＳ２３５に進む。ステップＳ２３５において、第１ノイズ処理部１１３の制御付加部５５は、ステップＳ２３４において生成された制御データを映像データに付加して、信号出力部５６に出力し、ステップＳ２３５に進む。ステップＳ２３５において、第１ノイズ処理部１１３の信号出力部５６は、制御データが付加された映像信号をＩＰ変換部１１４に出力し、図１８のステップＳ２０３に戻る。
【０１２０】
第１ノイズ処理部１１３から映像信号が入力されるので、ＩＰ変換部１１４は、ステップＳ２０３において、映像信号に対して信号処理を実行する。このＩＰ変換部１１４の信号処理は、図１９を参照して上述した信号入力部１１２の信号処理と基本的に同じ処理を実行するため、その説明は繰り返しになるので、適宜省略する。
【０１２１】
ＩＰ変換部１１４の制御抽出部５２は、図１９のステップＳ２３１において、第１ノイズ処理部１１３から入力された映像信号の制御データに、自分が実行するべき処理があると判断するまで待機しており、映像信号の制御データに、自分が実行するべき処理があると判断した場合、ステップＳ２３２に進む。ステップＳ２３２において、ＩＰ変換部１１４の信号処理回路５４は、処理制御部５１の制御のもと、選択部５３より入力される映像データに、処理制御部５１からの制御データに基づいて、所定の信号処理を実行し、ステップＳ２３３に進む。具体的には、信号処理回路５４は、第１ノイズ処理部１１３によりノイズ除去処理結果に基づいて生成された制御データに基づいて、インタレースの映像データをプログレッシブの映像データに変換するＩＰ変換処理を実行する。
【０１２２】
ステップＳ２３３において、ＩＰ変換部１１４の処理制御部５１は、ＩＰ変換処理結果に基づいて、次に実行される解像度変換部１１５および第２ノイズ処理部１１６の処理のうち、どの処理を実行するのが最適であるかを選択し、ステップＳ２３４に進む。いまの場合、解像度変換部１１５が選択されるとする。
【０１２３】
ステップＳ２３４において、ＩＰ変換部１１４の処理制御部５１は、ＩＰ変換処理結果に基づいて、ステップＳ２３３において選択された解像度変換部１１５に対応する制御データを生成し、ステップＳ２３５に進む。ステップＳ２３５において、ＩＰ変換部１１４の制御付加部５５は、ステップＳ２３４において生成された制御データを映像データに付加して、信号出力部５６に出力し、ステップＳ２３５に進む。ステップＳ２３５において、ＩＰ変換部１１４の信号出力部５６は、制御データが付加された映像信号を解像度変換部１１５に出力し、図１８のステップＳ２０４に戻る。
【０１２４】
ＩＰ変換部１１４から映像信号が入力されるので、解像度変換部１１５は、ステップＳ２０４において、映像信号に対して信号処理を実行する。この解像度変換部１１５の信号処理は、図１９を参照して上述した信号入力部１１２の信号処理と基本的に同じ処理を実行するため、その説明は繰り返しになるので、適宜省略する。
【０１２５】
解像度変換部１１５の制御抽出部５２は、図１９のステップＳ２３１において、ＩＰ変換部１１４から入力された映像信号の制御データに、自分が実行するべき処理があると判断するまで待機しており、映像信号の制御データに、自分が実行するべき処理があると判断した場合、ステップＳ２３２に進む。ステップＳ２３２において、解像度変換部１１５信号処理回路５４は、処理制御部５１の制御のもと、選択部５３より入力される映像データに、処理制御部５１からの制御データに基づいて、所定の信号処理を実行し、ステップＳ２３３に進む。
【０１２６】
具体的には、信号処理回路５４は、ＩＰ変換部１１４によりＩＰ変換処理結果に基づいて生成された制御データに基づいて、映像データの動きベクトルの特徴量を抽出し、その特徴量をクラス分類し、分類されたクラスに応じて、適応予測することにより、時間方向（フレーム数）と空間方向（画素数、ライン数）の解像度変換および信号の創造を行い、映像データをより高画質な信号にする信号処理を実行する。
【０１２７】
ステップＳ２３３において、解像度変換部１１５の処理制御部５１は、解像度変換処理結果に基づいて、次に実行される処理のうち、どの処理を実行するのが最適であるかを選択し、ステップＳ２３４に進む。なお、いまの場合、第２ノイズ処理部１１６しか残っていないことが制御データより取得されるため、第２ノイズ処理部１１６が選択されるとする。
【０１２８】
ステップＳ２３４において、解像度変換部１１５の処理制御部５１は、解像度変換処理結果に基づいて、ステップＳ２３３において選択した第２ノイズ処理部１１６に対応する制御データを生成し、ステップＳ２３５に進む。ステップＳ２３５において、解像度変換部１１５の制御付加部５５は、ステップＳ２３４において生成された制御データを映像データに付加して、信号出力部５６に出力し、ステップＳ２３５に進む。ステップＳ２３５において、解像度変換部１１５の信号出力部５６は、制御データが付加された映像信号を、第２ノイズ処理部１１６に出力し、図１８のステップＳ２０５に戻る。
【０１２９】
解像度変換部１１５から映像信号が入力されるので、第２ノイズ処理部１１６は、ステップＳ２０５において、映像信号に対して信号処理を実行する。この第２ノイズ処理部１１６の信号処理は、図１９を参照して上述した信号入力部１１２の信号処理と基本的に同じ処理を実行するため、その説明は繰り返しになるので、適宜省略する。
【０１３０】
第２ノイズ処理部１１６の制御抽出部５２は、図１９のステップＳ２３１において、解像度変換部１１５から入力された映像信号の制御データに、自分が実行するべき処理があると判断するまで待機しており、映像信号の制御データに、自分が実行するべき処理があると判断した場合、ステップＳ２３２に進む。ステップＳ２３２において、第２ノイズ処理部１１６の信号処理回路５４は、処理制御部５１の制御のもと、選択部５３より入力される映像データに、処理制御部５１からの制御データに基づいて、所定の信号処理を実行し、ステップＳ２３３に進む。
【０１３１】
具体的には、信号処理回路５４は、解像度変換部１１５により解像度変換処理結果に基づいて生成された制御データに基づいて、第１のノイズ処理とは異なる方法で、例えば、映像信号のノイズの定常性や非定常性の特徴量を抽出し、その特徴量をクラス分類し、分類されたクラスに応じて、適応予測することにより、映像信号のノイズ除去を実行する。
【０１３２】
ステップＳ２３３において、第２ノイズ処理部１１６の処理制御部５１は、ノイズ処理結果に基づいて、次に実行される処理のうち、どの処理を実行するのが最適であるかを選択し、ステップＳ２３４に進む。いまの場合、すべての処理が実行されたことが制御データより取得されるので、信号出力部１１７が選択されるとする。
【０１３３】
ステップＳ２３４において、第２ノイズ処理部１１６の処理制御部５１は、ノイズ除去処理結果に基づいて、ステップＳ２３３において選択した信号出力部１１７に対応する制御データを生成し、ステップＳ２３５に進む。ステップＳ２３５において、第２ノイズ処理部１１６の制御付加部５５は、ステップＳ２３４において生成された制御データを映像データに付加して、信号出力部５６に出力し、ステップＳ２３５に進む。ステップＳ２３５において、第２ノイズ処理部１１６の信号出力部５６は、制御データが付加された映像信号を信号出力部１１７に出力し、図１８のステップＳ２０６に戻る。
【０１３４】
第２ノイズ処理部１１６から映像信号が入力されるので、信号出力部１１７は、ステップＳ２０５において、第２ノイズ処理部１１６から入力される映像信号の映像データを、処理制御部５１からの制御データに基づいて、信号を図示せぬ後段に出力する。図示せぬ後段においては、例えば、表示制御された映像データがＬＣＤなどに表示される。なお、このときも、後段の表示制御に対応する制御データを生成し、映像データに付加して出力するようにしてもよい。
【０１３５】
以上のように、信号処理の結果に基づいて、次に実行される処理を選択することができる。したがって、各信号処理部の処理結果によっては、次の信号処理部の選択が変更するため、図１７の信号処理順は、図２０または図２１に示されるような信号処理順になり得る。さらに、図１７の信号処理順を、図２０または図２１に示されるような信号処理順に簡単に変更することもできる。
【０１３６】
図２０は、図１６のテレビジョン受像機１０１において実行される信号処理の順番の他の例を示している。図２０においては、信号処理部１１２の処理、第１ノイズ処理１１３の処理、解像度変換部１１５の処理、ＩＰ変換部１１４の処理、第２ノイズ処理部１１６の処理、および、信号出力部１１７の処理が、それぞれ前段の処理結果に基づいて、順に実行されることを示している。
【０１３７】
例えば、図１７の信号処理順を、図２０の信号処理順に変更したい場合には、上述した図１８のステップＳ２０２において、第１ノイズ処理部１１３により、ノイズ除去処理結果に基づいて選択されるＩＰ変換部１１４の代わりに、次に実行される（実行するべき）処理が解像度変換部１１５であるという情報を制御部１１１から送信して、解像度変換部１１５が選択されるように制御し、その後、解像度変換部１１５により、次に実行される処理がＩＰ変換部１１４であるという情報を制御部１１１から送信して、ＩＰ変換部１１４が選択されるように制御することで、簡単に変更することができる。
【０１３８】
図２１は、図１６のテレビジョン受像機１０１において実行される信号処理の順番のさらに他の例を示している。図２１においては、信号処理部１１２の処理、第１ノイズ処理１１３の処理、ＩＰ変換部１１４の処理、第２ノイズ処理部１１６の処理解像度変換部１１５の処理、および、信号出力部１１７の処理が、それぞれ前段の処理結果に基づいて、順に実行されることを示している。
【０１３９】
例えば、図１７の信号処理順を、図２１の信号処理順に変更したい場合には、図２０の例の場合と同様に、上述した図１８のステップＳ２０４において、ＩＰ変換部１１４により、ＩＰ変換処理結果に基づいて選択される解像度変換部１１５の代わりに、次に実行される処理が解像度変換部１１５であるという情報を制御部１１１から送信して、第２ノイズ処理部１１６が選択されるように制御することで、簡単に変更することができる。
【０１４０】
なお、図２０または図２１の信号処理順に変更したい場合、制御部１１１により、図２０または図２１の信号処理順をテレビジョン受像機１０１の各信号処理部に予め送信しておくことにより実現されるようにしてもよい。
【０１４１】
図２２は、本発明の信号処理装置としてのテレビジョン受像機２０１の構成例を示している。テレビジョン受像機２０１は、図１６のテレビジョン受像機１０１に、信号処理部２１１および２１２が追加されている。なお、図２２において、制御部１１１からの大きい矢印は、制御部１１１の情報が、各信号処理部に送受信されることを示している。
【０１４２】
図２２の例の場合、信号処理部２１１および２１２は、他の信号処理部（信号入力部１１２、第１ノイズ処理部１１３、ＩＰ変換部１１４、解像度変換部１１５、第２ノイズ処理部１１６および信号出力部１１７）と基本的に同様の構成を有しており、その説明は繰り返しになるので、説明を省略するが、信号処理部２１１および２１２も、制御部１１１が設定する順番に応じて、または、自分が実行した信号処理の結果に応じて、処理する順番を変更することができるように、それぞれ双方向に対して入出力することができるように構成されている。
【０１４３】
図２２の例において、制御部１１１は、信号入力部１１２、第１ノイズ処理部１１３、ＩＰ変換部１１４、解像度変換部１１５、第２ノイズ処理部１１６、信号処理部２１１および信号処理部２１２に対して、次に実行される（実行するべき）処理が、第１ノイズ処理部１１３、ＩＰ変換部１１４、解像度変換部１１５、第２ノイズ処理部１１６、信号処理部２１１、信号処理部２１２および信号出力部１１７により実行される処理であるという情報を予め送信する。
【０１４４】
すなわち、テレビジョン受像機２０１においては、自分が実行した処理結果に基づいて、第１ノイズ処理部１１３、ＩＰ変換部１１４、解像度変換部１１５、第２ノイズ処理部１１６、信号処理部２１１および信号処理部２１２のうち、どの処理を実行させるようにしてもいいし、自分が実行した処理結果によっては、映像信号処理を信号出力部１１７に出力し、信号処理を終了させることもできる。
【０１４５】
なお、図２２のテレビジョン受像機２０１において実行される信号処理は、図１６のテレビジョン受像機１０１において実行される、図１９を参照して上述した各信号処理部の信号処理と同様であるため、その図示、および説明は繰り返しになるので省略するが、図２２に示されるような複雑なテレビジョン受像機２０１においても、図１６のテレビジョン受像機１０１と同様に、前段の処理結果に応じて、最適な後段の信号処理が選択されるので、各信号処理部の順番を変更することが簡単にできる。
【０１４６】
以上のように、処理するべき映像データと同時に、例えば、しきい値の切り替え、色変換のテーブル、フィルタの係数、画像の特徴量、並列（分割）処理の分け方などといった制御データを送信するようにしたので、信号処理結果に応じた処理をリアルタイムに反映させて実行することができる。したがって、入力に応じた処理を実行する信号処理システムを構築することができる。
【０１４７】
なお、上述した説明においては、各信号処理部が実行する基本的な処理内容が決められている場合を想定したが、各信号処理部の処理内容が予め決められておらず、処理内容すべてを、前段の処理結果に応じて生成された制御データに基づいて決めるようにしてもよい。
【０１４８】
また、上記説明においては、テレビジョン受像機１において、映像信号を信号処理する場合を説明したが、もちろん、音声信号を信号処理するようにしてもよい。
【０１４９】
図２３は、音声信号の信号フォーマットの構成例を示している。図２３の例においては、音声信号は、ヘッダ、制御データおよび音声データにより構成される。すなわち、制御データは、音声信号のヘッダと音声データの間に付加される。さらに、制御データは、音声データに関するデータ情報と、後段で実行される処理に関する後段処理情報により構成される。なお、この後段処理情報は、映像信号の場合と同様であるので、その図示及び説明を省略する。
【０１５０】
図２４は、制御データのデータ情報の構成例を示している。図２４の例の場合、データ情報は、音声信号のコード化された名称を示す「音声フォーマット」、コード化された音声データのサンプリングレートを示す「サンプリングレート」、および、例えば、８ｂｉｔや１０ｂｉｔなどのデータの幅を示す「ビット長」により構成される。
【０１５１】
なお、本発明は、映像信号または音声信号の信号処理を実行する他の信号処理装置にも適用される。
【０１５２】
上述した一連の処理は、ハードウェアにより実行させることもできるが、ソフトウェアにより実行させることもできる。この場合、例えば、図４のテレビジョン受像機２１、図１６のテレビジョン受像機１０１、および図２２のテレビジョン受像機２０１は、図２５に示されるようなテレビジョン受像機３０１により構成される。
【０１５３】
図２５において、ＣＰＵ（Ｃｅｎｔｒａｌ  Ｐｒｏｃｅｓｓｉｎｇ  Ｕｎｉｔ）３１１は、ＲＯＭ（Ｒｅａｄ  Ｏｎｌｙ  Ｍｅｍｏｒｙ）３１２に記憶されているプログラム、または、記憶部３１８からＲＡＭ（Ｒａｎｄｏｍ  Ａｃｃｅｓｓ  Ｍｅｍｏｒｙ）３１３にロードされたプログラムに従って各種の処理を実行する。ＲＡＭ３１３にはまた、ＣＰＵ３１１が各種の処理を実行する上において必要なデータなどが適宜記憶される。
【０１５４】
ＣＰＵ３１１、ＲＯＭ３１２、およびＲＡＭ３１３は、バス３１４を介して相互に接続されている。このバス３１４にはまた、入出力インタフェース３１５も接続されている。
【０１５５】
入出力インタフェース３１５には、キーボード、マウスなどよりなる入力部３１６、ＣＲＴ（Ｃａｔｈｏｄｅ  Ｒａｙ  Ｔｕｂｅ），ＬＣＤ（Ｌｉｑｕｉｄ  Ｃｒｙｓｔａｌ  Ｄｉｓｐｌａｙ）などよりなるディスプレイ、並びにスピーカなどよりなる出力部３１７、ハードディスクなどより構成される記憶部３１８、モデム、ターミナルアダプタなどより構成される通信部３１９が接続されている。通信部３１９は、図示せぬネットワークを介しての通信処理を行う。
【０１５６】
入出力インタフェース３１５にはまた、必要に応じてドライブ３２０が接続され、磁気ディスク３２１、光ディスク３２２、光磁気ディスク３２３、或いは半導体メモリ３２４などが適宜装着され、それから読み出されたコンピュータプログラムが、必要に応じて記憶部３１８にインストールされる。
【０１５７】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１５８】
この記録媒体は、図２５に示すように、装置本体とは別に、ユーザにプログラムを提供するために配布される、プログラムが記録されている磁気ディスク３２１（フレキシブルディスクを含む）、光ディスク３２２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク３２３（ＭＤ（Ｍｉｎｉ−Ｄｉｓｋ）（商標）を含む）、もしくは半導体メモリ３２４などよりなるパッケージメディアにより構成されるだけでなく、装置本体に予め組み込まれた状態でユーザに提供される、プログラムが記録されているＲＯＭ３１２や、記憶部３１８に含まれるハードディスクなどで構成される。
【０１５９】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１６０】
【発明の効果】
以上の如く、本発明によれば、入力信号に応じて信号処理の順序を簡単に変更することができる。
【図面の簡単な説明】
【図１】従来の信号処理装置の構成例を示す図である。
【図２】従来の信号処理装置の他の構成例を示す図である。
【図３】従来の信号処理装置のさらに他の構成例を示す図である。
【図４】本発明を適用したテレビジョン受像機の構成例を示す図である。
【図５】図４のテレビジョン受像機で送受信される信号フォーマットの構成例を示す図である。
【図６】図５の制御データのデータ情報の構成例を示す図である。
【図７】図５の制御データの後段処理情報の構成例を示す図である。
【図８】図４の高輝度信号処理部の構成例を示すブロック図である。
【図９】図４のＲ信号処理部の高画質信号処理を説明するフローチャートである。
【図１０】図９のステップＳ２１のデータ判別処理を説明するフローチャートである。
【図１１】図４の色分解処理部により付加される後段処理情報の構成例を示す図である。
【図１２】図９のステップＳ２３の映像データ処理を説明するフローチャートである。
【図１３】図９のステップＳ２４の制御データ付加処理を説明するフローチャートである。
【図１４】図４のＲ信号処理部により付加される後段処理情報の構成例を示す図である。
【図１５】図４の高輝度信号処理部の色変換信号処理を説明するフローチャートである。
【図１６】本発明を適用したテレビジョン受像機の他の構成例を示す図である。
【図１７】図１６のテレビジョン受像機の信号処理の順番の例を説明する図である。
【図１８】図１６のテレビジョン受像機の信号処理を説明するフローチャートである。
【図１９】図１８のステップＳ１の信号処理を説明するフローチャートである。
【図２０】図１６のテレビジョン受像機の信号処理の順番の他の例を説明する図である。
【図２１】図１６のテレビジョン受像機の信号処理の順番のさらに他の例を説明する図である。
【図２２】本発明を適用したテレビジョン受像機のさらに他の構成例を示す図である。
【図２３】図４のテレビジョン受像機で送受信される信号フォーマットの他の構成例を示す図である。
【図２４】図２３の制御データのデータ情報の構成例を示す図である。
【図２５】本発明を適用したテレビジョン受像機の他の構成例を示す図である。
【符号の説明】
２１  テレビジョン受像機，３１  制御部，３２  色分解処理部，３３−１  Ｒ信号処理部，３３−２  Ｇ信号処理部，３３−３  Ｂ信号処理部，３４−１  高輝度信号処理部，３４−２  中輝度信号処理部，３４−３  低輝度信号処理部，３５  色合成処理部，５２−１乃至５２−３  制御抽出部，５３  選択部，５４信号処理回路，５５  制御付加部，５６  信号出力部，１０１  テレビジョン受像機，２０１  テレビジョン受像機
【図１】
2004247994.tif 000003
【図２】
2004247994.tif 000004
【図３】
2004247994.tif 000005
【図４】
2004247994.tif 000006
【図５】
2004247994.tif 000007
【図６】
2004247994.tif 000008
【図７】
2004247994.tif 000009
【図８】
2004247994.tif 000010
【図９】
2004247994.tif 000011
【図１０】
2004247994.tif 000012
【図１１】
2004247994.tif 000013
【図１２】
2004247994.tif 000014
【図１３】
2004247994.tif 000015
【図１４】
2004247994.tif 000016
【図１５】
2004247994.tif 000017
【図１６】
2004247994.tif 000018
【図１７】
2004247994.tif 000019
【図１８】
2004247994.tif 000020
【図１９】
2004247994.tif 000021
【図２０】
2004247994.tif 000022
【図２１】
2004247994.tif 000023
【図２２】
2004247994.tif 000024
【図２３】
2004247994.tif 000025
【図２４】
2004247994.tif 000026
【図２５】
2004247994.tif 000027